(57)【要約】【課題】自然な頭髪のイメージを保ちながら、短時間で毛髪用繊維の取付けを行う。【解決手段】本発明の毛髪用繊維の取付け方法は、自毛束に毛髪用繊維束を巻き付け、さらに、編み合せて結合させる第１の工程と、結合して形成した結合部の幅を間隔として、頭部の輪郭に沿って行う第２の工程と、結合部の形成は互いに上下で重なり合わないように、下方の輪郭から上方の輪郭へと段階的に行う第３の工程と、を備えている。自毛束は自毛の取り分け範囲が逆三角形状になるように、頭髪の下部より頭髪の上部が多く取り分けられまた、毛髪用繊維の取付けの際に、地肌と結合部との間で自毛束がその上部を下部より長くして取付けられる。上方の輪郭で形成される結合部は、下方の輪郭で形成される隣り合う結合部の間になるように形成される。【選択図】          図６
2004183119.tif 000002
【特許請求の範囲】
【請求項１】
頭髪から複数本の自毛を取り分けて束ねた自毛束に、複数本の毛髪用繊維を束ねた毛髪用繊維束を編み合せ、その下方に前記毛髪用繊維束を垂下させる毛髪用繊維の取付け方法において、
前記自毛束、及び、前記毛髪用繊維束を交差させて巻き付け、さらに、編み合せて結合させる第１の工程と、
前記結合して形成した結合部の幅を間隔として、頭部の輪郭に沿って、前記第１の工程を繰り返し連続的に行う第２の工程と、
前記結合部の形成は、互いに上下で重なり合わないように、下方の輪郭から上方の輪郭へと段階的に行う第３の工程と、を備えていることを特徴とする毛髪用繊維の取付け方法。
【請求項２】
前記自毛束は、自毛の取り分け範囲が逆三角形状になるように、頭髪の下部より頭髪の上部が多く取り分けられることを特徴とする請求項１に記載の毛髪用繊維の取付け方法。
【請求項３】
前記毛髪用繊維の取付けの際に、地肌と前記結合部との間で自毛束がその上部を下部より長くして取付けられることを特徴とする請求項１または２に記載の毛髪用繊維の取付け方法。
【請求項４】
前記上方の輪郭で形成される前記結合部は、前記下方の輪郭で形成される隣り合う結合部の間になるように形成されることを特徴とする請求項１ないし３のいずれかに記載の毛髪用繊維の取付け方法。
【発明の詳細な説明】
【０００１】
【発明の属する技術分野】
本発明は、自毛に毛髪用繊維を取付けて好みのヘアースタイルを形作る毛髪用繊維の取付け（ヘアーエクステンション）方法に関する。
【０００２】
【従来の技術】
自毛に毛髪用繊維を取付けて、髪の毛の長さを見た目上伸張することにより、好みのヘアースタイルを形作ることができる。この技術はヘアーエクステンションと呼ばれ、本出願人は特許第３３３８４３３号にて、そのヘアーエクステンション技術を開示した。即ち、自毛束に毛髪用繊維束（以下、ＥＸ束と称す）を交差させ、自毛束をＥＸ束の一端側に巻き付け、さらにＥＸ束の他端側に巻き付け、自毛束の先端側を引っ張りつつ、ＥＸ束を地肌側へ移動させ、ＥＸ束の一端側、他端側及び自毛束の先端側を三つ編みにより編み合せて、ＥＸ束のループを含む編み合せ部分を形成し、ＥＸ束の他端側を２つに分け、一方の分岐ＥＸ束と編み合せ部分を束ね、他方の分岐ＥＸ束をループより先端側の編み合せ部分に巻き付けた後、その巻き付け部分を固定する。固定方法としては、巻き付けたＥＸ束を熱融着すること、もしくは、ゴム糸を結び付けて固定することが適宜実施できるものである。ＥＸ束の材質としては、触感やボリューム感に優れた特性を有し、難燃性のポリエチレン系の合成繊維等が適宜使用される。しかし、このＥＸ技術は部分的なものであり、この技術を頭髪全体に施す工程について、その開示が望まれていた。また、実開平５−２７０１６には、ヘアーエクステンションの技術として、複数のリング状の縁部材を有し、複数の縁部材は適宜の間隔を置いて縦方向に延びる複数の連結部材により連結され、複数の縁部材の少なくとも一部は中間部に伸縮性を有する部材を介して形成され、且つ縁部材には適宜の擬毛が植毛され、縁部材が頭髪に装着部材により取付けられ、且つ縁部材の間より自毛が引き出されるようになされる技術が開示されている。しかし、リング状の縁部材が利用されるので、自然な頭髪のイメージにはならないものとなっていた。
【０００３】
【発明が解決しようとする課題】
本発明は、自然な頭髪のイメージを保ちながら短時間で、ヘアースタイルに応じて頭髪全体もしくは部分的に、毛髪用繊維の取付け（ヘアーエクステンション）を行うことを目的とする。
【０００４】
【課題を解決するための手段】
上記目的を達成するために、本発明の毛髪用繊維の取付け方法は、頭髪から複数本の自毛を取り分けて束ねた自毛束に、複数本の毛髪用繊維を束ねた毛髪用繊維束を編み合せ、その下方に前記毛髪用繊維束を垂下させる毛髪用繊維の取付け方法において、前記自毛束、及び、前記毛髪用繊維束を交差させて巻き付け、さらに、編み合せて結合させる第１の工程と、前記結合して形成した結合部の幅を間隔として、頭部の輪郭に沿って、前記第１の工程を繰り返し連続的に行う第２の工程と、前記結合部の形成は、互いに上下で重なり合わないように、下方の輪郭から上方の輪郭へと段階的に行う第３の工程と、を備えていることを特徴とする。前記自毛束は、自毛の取り分け範囲が逆三角形状になるように、頭髪の下部より頭髪の上部が多く取り分けられることを特徴とする。前記毛髪用繊維の取付けの際に、地肌と前記結合部との間で自毛束がその上部を下部より長くして取付けられることを特徴とする。前記上方の輪郭で形成される前記結合部は、前記下方の輪郭で形成される隣り合う結合部の間になるように形成されることを特徴とする。
【０００５】
これにより、毛髪用繊維の取付けが、自然な頭髪のイメージを保ちながら短時間でできる。また、自毛の取り分けの際に、頭髪の下部より頭髪の上部を多くすること、及び、自毛束がその上部を下部より長くして取付けられることにより、地肌への負担は少なくなる。上方の結合部が、下方の輪郭で形成される隣り合う結合部の間になるようにすることで、さらに、自然な頭髪のイメージを保つことができる。
【０００６】
【発明の実施の形態】
本発明の実施の形態を図面に基いて説明する。
図１は、頭髪から複数本の自毛１を取り分けて束ねた自毛束２を示したものである。この図１に示すように、自毛１を取り分ける際には、取り分けライン３に沿って下方に向けて少なくなるように取り分けるものであるが、その取り分け範囲４を逆三角形になるようにする。即ち、自毛１は頭髪の上部が頭髪の下部より多くなるように取り分けられる。
【０００７】
図２は、複数本の毛髪用繊維を束ねた毛髪用繊維束（以下、ＥＸ束と称す）７及び自毛束２を編み合せ、その下方にＥＸ束７及び自毛束２を垂下させることを示したものである。詳述すると、この毛髪用繊維の取付（エクステンション）の方法は、ＥＸ束７と自毛束２とを交差させ、その左右の位置で自毛束２をＥＸ束７に少なくとも１回転ずつ巻き付ける巻付け工程と、自毛束２の先端側及びＥＸ束７の両端側を交差部付近で編み合せる編み合せ工程と、ＥＸ束７の一部を取り分けて編み合せ部分に巻き付けて固定する工程とを含むものである。編み合せ部分６は、ＥＸ束７の一端側、他端側及び自毛束７の先端側を三つ編みにより編み合せて形成され、その編み合せ部分６は、弾性糸（糸ゴム）１１を複数回（５から７回）巻き付けると共に、結んで固定されている。これにより、外観的には、図２に示すように、巻付け工程で形成されたループ部５と、編み合せ工程で形成された編み合せ部分６（弾性糸１１が巻きついている）とが形成され、その下には自毛束２及びＥＸ束７が垂下したものとなっている。
【０００８】
固定の方法は、他に、ゴム糸を巻き付け熱融着（ヒートシール）させること、もしくは、ＥＸ束７を２つに分けて２つの分岐ＥＸ束とし、自毛束２の先端側及び一方の分岐ＥＸ束を、他方の分岐ＥＸ束で束ねて熱融着させることなど適宜実施される。しかし、熱融着による固定方法は、熱を使うことによる危険が伴う方法となることから、弾性糸１１を結び付けて固定する方法がよい。さらに、弾性糸１１を結び付けて固定した場合には、取付けられたＥＸ束７を取り外す際に、切断することにより、容易に取り外せるものとなる。
【０００９】
図３は、ループ部５及び編み合せ部分６（弾性糸１１が巻き付いている）で形成された部分を結合部８として示し、その結合部８の下方で、自毛束２がＥＸ束７により延長されるように取り付けられていることを示している。この図３から明らかなように、エクステンション（毛髪用繊維の取付）は、結合部８が頭部の輪郭（取り分けライン３）に沿って順次形成されることにより行われる。また、結合部８は互いに上下で重なり合わないように、下方の輪郭（取り分けライン３）から上方の輪郭（取り分けライン３）へと段階的に行われる。この際、隣り合う結合部８の間隔は、結合部８の幅になるようにし、上方の輪郭で形成される結合部８は、下方の輪郭で形成される結合部８の間になるように形成される。
【００１０】
図４の（ｂ）は、毛髪用繊維の取付けの際に、地肌１０と結合部８との間で自毛束２がその上部を下部より長くして取付けられていることを示したものである。図４の（ａ）と対比した場合、（ｂ）のように、自毛束２がその上部を下部より長くして取付けられたものは地肌１０への負担が軽減されたものとなる。
【００１１】
エクステンションは、頭部全体を対象にして行われるが、それぞれのヘアースタイルに応じて、エクステンションされた部位がカットされる。図５の（ａ）、（ｂ）、（ｃ）、（ｄ）は、それぞれ、エクステンションが行われた部位で、カットされる部位を示した配列図である。図５に示すように、ヘアースタイルのエンドライン（髪の長さ）を決定する部位は、ライン部３ａで示した頭髪の下方の部分である。同様に、ボリューム（ヘアースタイルのフォルム、シルエットを形成する）を決定する部位は、図５に示すライン部３ｂ間であり、ヘアースタイル表面の質感を表現し、自毛とのなじみ感を出すテキスチュア部は、ライン部３ｃ間の部位である。
【００１２】
図６及び図７は、最終的にエクステンションされたヘアースタイルを示したものである。図６の（ａ）に示すヘアースタイルは、俗に、オカッパと言われるスタイルであるが、ＥＸ束７でエクステンションを行うことにより、（ｂ）に示すようなレイヤースタイルとするものである。即ち、ボブ・トゥ・レイヤーであり、イヤー・トゥ・イヤーパート（図５におけるライン部３ｂ）より後部の頭髪にエクステンションを行ったものである。図７は、ボブ・トゥ・レイヤーの逆で、レイヤー・トゥ・ボブと言われるものである。即ち、図７の（ａ）に示したヘアースタイルから（ｂ）に示したヘアースタイルになるように、ＥＸ束７でエクステンションを行う。このエクステンションは、イヤー・トゥ・イヤーパート（図５におけるライン部３ｂ）より前部の頭髪に対して行ったものである。これらのエクステンションは、頭髪に対して部分的行われたものであるが、全体的に短い髪を長く伸ばす場合、取付部位は頭髪全体となる。
【００１３】
【発明の効果】
本発明は、以上説明したように構成されているので、以下に記載するような効果を奏する。即ち、巻き付けた後に編み合せて結合させる第１の工程と、結合して形成した結合部の幅を間隔として頭部の輪郭に沿って行う第２の工程と、結合部の形成が互いに上下で重なり合わないようにする第３の工程と、を含むことにより、自然な頭髪のイメージを保ちながら毛髪用繊維の取付けが短時間でできる。また、自毛の取り分けの際に、頭髪の下部より頭髪の上部を多くすることで、地肌への負担は少なくなるものであり、自毛束がその上部を下部より長くして取付けられることにより、さらに、地肌への負担が軽減される。上方の結合部が下方の輪郭で形成される隣り合う結合部の間になるようにすることで自然な頭髪のイメージを保つことができる。
【図面の簡単な説明】
【図１】複数本の自毛を取り分けて束ねた自毛束を示したものである。
【図２】毛髪用繊維束及び自毛束を結合しその下方に垂下させたものである。
【図３】結合部が互いに上下で重なり合わないように、下方の輪郭から上方の輪郭へと段階的に行われることを示したものである。
【図４】（ａ）及び（ｂ）は、毛髪用繊維の取付けの際に、自毛束がその上部を下部より長くして取付けられていることを対比して示したものである。
【図５】（ａ）、（ｂ）、（ｃ）、（ｄ）は、それぞれ、エクステンションが行われた際にカットされる部位を示した配列図である。
【図６】（ａ）及び（ｂ）は、エクステンションされたヘアースタイルを説明したものである。
【図７】（ａ）及び（ｂ）は、エクステンションされたヘアースタイルを説明したものである。
【符号の説明】
１  自毛
２  自毛束
３  取り分けライン
４  取り分け範囲
５  ループ部
６  編み合せ部分
７  毛髪用繊維束
８  結合部
１０  地肌
１１  ゴム糸
【図１】
2004183119.tif 000003
【図２】
2004183119.tif 000004
【図３】
2004183119.tif 000005
【図４】
2004183119.tif 000006
【図５】
2004183119.tif 000007
【図６】
2004183119.tif 000008
【図７】
2004183119.tif 000009